【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】  上部詰め込み型タンパエビデント式再閉可能なプラスチック包装袋用のファスナーにおいて、前記包装袋は、一対の側辺と前記側辺を繋ぐ底部とに沿って接合されている第１及び第２の相対するパネルを有しており、前記ファスナーは、
前記包装袋の頂部に沿う第１及び第２の相対する軌道であって、前記第１及び第２軌道は、それぞれ、第１及び第２形状部と、前記第１及び第２形状部から伸張する第１及び第２フィンとを含んでおり、前記第１フィンは前記第１パネルに取り付けられており、前記第１及び第２形状部は互いに噛み合い係合できるようになっており、前記第１及び第２フィンがそれぞれの下端部で互いに接合されている、第１及び第２軌道と、
前記第２軌道から伸張し概ね前記第２フィンに沿って配置されている第３フィンであって、前記第１フィンは前記第１パネルに取り付けられているが、前記第３フィンは、最初は、少なくとも部分的には前記第２パネルに取り付けられておらず、前記包装袋に、前記第３フィンと前記第２パネルとの間の詰め込み開口部を通して製品を詰め込めるようになっている、第３フィンと、
前記第１及び第２フィンの少なくとも一方に沿って配置されている優先破断領域と、を備えているファスナー。
【請求項２】  前記第１及び第２フィンは、前記優先破断領域に沿って互いに切り離し可能に接合されている、請求項１に記載のファスナー。
【請求項３】  前記第３フィンは、前記第２形状部から伸張している、請求項１に記載のファスナー。
【請求項４】  上部詰め込み型タンパエビデント式再閉可能なプラスチック包装袋用のファスナーにおいて、前記包装袋は、一対の側辺と前記側辺を繋ぐ底部とに沿って接合されている第１及び第２の相対するパネルを有しており、前記ファスナーは、
前記包装袋の頂部に沿う第１及び第２の相対する軌道であって、前記第１及び第２軌道は、それぞれ、第１及び第２形状部と、前記第１及び第２形状部から伸張する第１及び第２フィンとを含んでおり、前記第１及び第２形状部は互いに噛み合い係合できるようになっており、前記第１及び第２フィンがそれぞれの下端部で互いに接合されている、第１及び第２軌道と、
前記第１及び第２軌道それぞれから伸張し、概ね前記第１及び第２フィンそれぞれに沿って配置されている第３及び第４フィンであって、前記第３フィンは前記第１パネルに取り付けられており、前記第３フィンは前記第１パネルに取り付けられているが、前記第４フィンは、最初は、少なくとも部分的には前記第２パネルに取り付けられておらず、前記包装袋に、前記第４フィンと前記第２パネルとの間の詰め込み開口部を通して製品を詰め込めるようになっている、第３及び第４フィンと、
前記第１及び第２フィンの少なくとも一方に沿って配置されている優先破断領域と、を備えているファスナー。
【請求項５】  上部詰め込み型タンパエビデント式再閉可能なプラスチック包装袋用のファスナーにおいて、前記包装袋は、一対の側辺と前記側辺を繋ぐ底部とに沿って接合されている第１及び第２の相対するパネルを有しており、前記ファスナーは、
前記包装袋の頂部に沿う第１及び第２の相対する軌道であって、前記第１及び第２軌道は、それぞれ、第１及び第２形状部と、前記第１及び第２形状部から伸張する第１及び第２フィンとを含んでおり、前記第１フィンは前記第１パネルに取り付けられており、前記第１及び第２形状部は互いに噛み合い係合できるようになっており、前記第１及び第２フィンがそれぞれの下端部で互いに接合されている、第１及び第２軌道と、
前記第２フィンの下端部から伸張しているフィン伸張部であって、前記第１フィンは前記第１パネルに取り付けられているが、前記第２フィン及び前記フィン伸張部は、最初は、少なくとも部分的には前記第２パネルに取り付けられておらず、前記包装袋に、前記ファスナーと前記第２パネルとの間の詰め込み開口部を通して製品を詰め込めるようになっている、フィン伸張部と、
前記第１フィンに沿って配置されている優先破断領域と、を備えているファスナー。
【請求項６】  上部詰め込み型タンパエビデント式再閉可能なプラスチック包装袋用のファスナーにおいて、前記包装袋は、一対の側辺と前記側辺を繋ぐ底部とに沿って接合されている第１及び第２の相対するパネルを有しており、前記ファスナーは、
前記包装袋の頂部に沿う第１及び第２の相対する軌道であって、前記第１及び第２軌道は、それぞれ、第１及び第２形状部と、前記第１及び第２形状部から伸張する第１及び第２フィンとを含んでおり、前記第１フィンは前記第１パネルに取り付けられており、前記第１及び第２形状部は互いに噛み合い係合できるようになっており、前記第１及び第２フィンがそれぞれの下端部で互いに接合されている、第１及び第２軌道と、
前記第１及び第２フィンそれぞれの下端部から伸張している第１及び第２フィン伸張部であって、前記第１フィンは前記第１パネルに接着されているが、前記第２フィン及び前記第２フィン伸張部は、最初は、少なくとも部分的には前記第２パネルに取り付けられておらず、前記包装袋に、前記ファスナーと前記第２パネルとの間の詰め込み開口部を通して製品を詰め込めるようになっている、第１及び第２フィン伸張部と、
前記第１フィンに沿って配置されている優先破断領域と、を備えているファスナー。
【請求項７】  再閉可能なプラスチック包装袋を形成し、その袋に製品を詰め込み、密封する方法において、
一対の側辺と前記側辺を繋ぐ底部とに沿って接合されている第１及び第２の相対するパネルを含んでいる包装袋を供給する段階であって、前記包装袋は、前記包装袋の頂部に沿う第１及び第２の相対する軌道を有するファスナーを含んでおり、前記第１及び第２軌道は、それぞれ、第１及び第２形状部と、前記第１及び第２形状部から伸張する第１及び第２フィンとを含んでおり、前記第１フィンは前記第１パネルに取り付けられており、前記第１及び第２形状部は互いに噛み合い係合できるようになっており、前記第１及び第２フィンはそれぞれの下端部で互いに接合されており、前記ファスナーは、前記第１及び第２フィンの少なくとも一方に沿って配置されている優先破断領域を含んでおり、前記ファスナーは、前記第２軌道から伸張し概ね前記第２フィンに沿って配置されている第３フィンを含んでおり、前記第１フィンは前記第１パネルに取り付けられているが、前記第３フィンは、最初は、少なくとも部分的には前記第２パネルに取り付けられていない、包装袋を供給する段階と、
前記第３フィンと前記第２パネルとの間の詰め込み開口部を通して、前記包装袋に製品を詰め込む段階と、
前記第３フィンを前記第２パネルに取り付けて、前記詰め込み開口部を密封する段階と、から成る方法。
【請求項８】  再閉可能なプラスチック包装袋を形成し、その袋に製品を詰め込み、密封する方法において、
一対の側辺と前記側辺を繋ぐ底部とに沿って接合されている第１及び第２の相対するパネルを含んでいる包装袋を供給する段階であって、前記包装袋は、前記包装袋の頂部に沿う第１及び第２の相対する軌道を有するファスナーを含んでおり、前記第１及び第２軌道は、それぞれ、第１及び第２形状部と、前記第１及び第２形状部から伸張する第１及び第２フィンとを含んでおり、前記第１及び第２形状部は互いに噛み合い係合できるようになっており、前記第１及び第２フィンはそれぞれの下端部で互いに接合されており、前記ファスナーは前記第１及び第２フィンの少なくとも一方に沿って配置されている優先破断領域を含んでおり、前記ファスナーは、前記第１及び第２軌道それぞれから伸張し概ね前記第１及び第２フィンそれぞれに沿って配置されている第３及び第４フィンを含んでおり、前記第３フィンは前記第１パネルに取り付けられており、前記第３フィンは前記第１パネルに取り付けられているが、前記第４フィンは、最初は少なくとも部分的には前記第２パネルに取り付けられていない、包装袋を供給する段階段階と、
前記第４フィンと前記第２パネルとの間の詰め込み開口部を通して、前記包装袋に製品を詰め込む段階と、
前記第４フィンを前記第２パネルに取り付けて、前記詰め込み開口部を密封する段階と、から成る方法。
【請求項９】  再閉可能なプラスチック包装袋を形成し、その袋に製品を詰め込み、密封する方法において、
一対の側辺と前記側辺を繋ぐ底部とに沿って接合されている第１及び第２の相対するパネルを含んでいる包装袋を供給する段階であって、前記包装袋は、前記包装袋の頂部に沿う第１及び第２の相対する軌道を有するファスナーを含んでおり、前記第１及び第２軌道は、それぞれ、第１及び第２形状部と、前記第１及び第２形状部から伸張する第１及び第２フィンとを含んでおり、前記第１フィンは前記第１パネルに取り付けられており、前記第１及び第２形状部は互いに噛み合い係合できるようになっており、前記第１及び第２フィンはそれぞれの下端部で互いに接合されており、前記ファスナーは、前記第１フィンに沿って配置されている優先破断領域を含んでおり、前記ファスナーは、前記第２フィンの下端部から伸張するフィン伸張部を含んでおり、前記第１フィンは前記第１パネルに接着されているが、前記第２フィン及び前記フィン伸張部は、最初は、少なくとも部分的には前記第２パネルに取り付けられていない、包装袋を供給する段階と、
前記ファスナーと前記第２パネルとの間の詰め込み開口部を通して、前記包装袋に製品を詰め込む段階と、
前記フィン伸張部を前記第２パネルに取り付けて、前記詰め込み開口部を密封する段階と、から成る方法。
【請求項１０】  再閉可能なプラスチック包装袋を形成し、その袋に製品を詰め込み、密封する方法において、
一対の側辺と前記側辺を繋ぐ底部とに沿って接合されている第１及び第２の相対するパネルを含んでいる包装袋を供給する段階であって、前記包装袋は、前記包装袋の頂部に沿う第１及び第２の相対する軌道を有するファスナーを含んでおり、前記第１及び第２軌道は、それぞれ、第１及び第２形状部と、前記第１及び第２形状部から伸張する第１及び第２フィンとを含んでおり、前記第１フィンは前記第１パネルに取り付けられており、前記第１及び第２形状部は互いに噛み合い係合できるようになっており、前記第１及び第２フィンはそれぞれの下端部で互いに接合されており、前記ファスナーは、前記第１フィンに沿って配置されている優先破断領域を含んでおり、前記ファスナーは、前記第１及び第２フィンそれぞれの下端部から伸張する第１及び第２フィン伸張部を含んでおり、前記第１フィンは前記第１パネルに取り付けられているが、前記第２フィン及び前記第２フィン伸張部は、最初は、少なくとも部分的には、前記第２パネルに取り付けられていない、包装袋を供給する段階と、
前記ファスナーと前記第２パネルとの間の詰め込み開口部を通して、前記包装袋に製品を詰め込む段階と、
前記第２フィン伸張部を前記第２パネルに取り付けて、前記詰め込み開口部を密封する段階と、から成る方法。